(57)【特許請求の範囲】
【請求項１】
前身頃及び後身頃からなる前開きロンパースであって、
該前身頃は、内側前身頃と外側前身頃からなり、
該内側前身頃の体中央側側縁部と該外側前身頃の脇側側縁部の内面に設けられた第一係止部により、該内側前身頃は固定され、
該内側前身頃の脇側側縁部の外面と該外側前身頃の体中央側側縁部に設けられた第二係止部により、該外側前身頃は固定され、
該後身頃は該前身頃よりも裾方向に長く形成され、該後身頃の裾中央部が突出しており、
該外側前身頃と該後身頃は、外側前身頃の裾部と後身頃の裾中央部に設けられた第三係止部により係合自在であり、
外側前身頃の裾部の第三係止部は横方向に複数設けられ、
着用者の胸囲、胴囲、腰囲及び太腿周りの長さに応じた第一乃至第三係止部における係合位置に係合できることを特徴とする、前開きロンパース。
【請求項２】
前記第一係止部が紐であることを特徴とする、請求項１記載の前開きロンパース。
【請求項３】
前記第二係止部が面ファスナーであることを特徴とする、請求項１又は２記載の前開きロンパース。
【請求項４】
前記第三係止部が外側前身頃の裾部に設けられた留め具と、後身頃の裾中央部に設けられた受け止め具からなるスナップであることを特徴とする、請求項１乃至３のいずれかに記載の前開きロンパース。
【発明の詳細な説明】
【技術分野】
【０００１】
本発明は前開きロンパースに係り、より詳しくは内側前身頃及び外側前身頃を固定する係止部（第一係止部及び第二係止部）及び着用者の足を通す裾中央部に係止部（第三係止部）を備え、ズボン形状にもスカート形状にもなり、着用者の胸囲、胴囲、腰囲及び太腿周りの長さに応じてサイズを調節可能な前開きロンパースに関する。
詳述すると、第三係止部を留めないことで裾部がスカートのように１つの筒状に形成されるため短肌着や長肌着として利用でき、第三係止部を留めることで裾部がズボンのように二股に分かれるためコンビ肌着やロンパース（ボディスーツ）としても利用でき、第一係止部及び第二係止部の係合位置を変えることで着用者のサイズに合わせて胸囲、胴囲、腰囲及び太腿周りの長さを容易に調節することができるため、１着で様々な形状の乳幼児衣類として使用でき、着用者が成長しても長期間着用することができる前開きロンパースに関する。
【背景技術】
【０００２】
従来より、乳幼児用の衣服は使用する季節や用途あるいは乳幼児の成長の度合いに合わせた様々なタイプのものが提供されている。
【０００３】
例えば、乳幼児用の衣服として短肌着、長肌着、コンビ肌着及びロンパース（ボディスーツ）が挙げられる。
短肌着は着丈が着用者の腰くらいまでの短い前開きの肌着である。前開きであるため首が座っていない新生児でも着せ替えが容易で、裾部がスカートのように１つの筒状に形成されているためオムツを換えることが容易であるので、着せ替えやオムツ替えの機会が多い月齢が０−３か月程度の新生児が着用する肌着として用いられることが多い。
長肌着は着丈が着用者の膝から足首辺りまでである長い前開きの肌着であり、寒い時期に用いられることが多い。上記の短肌着の上に着用して使用することもある。短肌着と同様に、前開きであるため首が座っていない新生児でも着せ替えが容易で、裾部がスカートのように１つの筒状に形成されているためオムツを換えることが容易であるので、着せ替えやオムツ替えの機会が多い月齢が０−３か月程度の新生児が着用する肌着として用いられることが多い。
コンビ肌着は着丈が着用者の太腿の付け根から膝辺りまでのものがあり、前身頃及び後身頃の裾中央部が上に凸の形状をしているものが多い。前身頃及び後身頃の裾中央部に設けられた係止部を係止することでズボンのように裾が二股に分かれて足を動かしてもはだけにくくなるため、足を良く動かす月齢３か月以降の乳幼児に着用させることが多い。
ロンパース（ボディスーツ）は着丈が着用者の太腿の付け根辺りまでのものや長肌着と同様に着丈が着用者の膝から足首辺りまであるものが存在する衣服である。前身頃が前開きのものやＴシャツのように頭からかぶせて着せるものがある。後身頃の裾中央部が下に凸の形状をしているものも多く、この場合前身頃及び後身頃の裾中央部に設けられた係止部を係止することでズボンのように２つの筒が形成されるため、足を動かしてもはだけにくくなる。よって、足を良く動かす月齢３か月以降の乳幼児に着用させることが多い。
【０００４】
上記乳幼児用の衣服にはそれぞれ長所と短所がある。
短肌着は着用者の首が座っていなくても前開きなので着せやすく、着丈が短いため様々なウェアの下に着用できる一方、着丈が短いので裾がずり上がりやすく、着用者が成長すると着丈がすぐに合わなくなるため着用できる期間が短い。
長肌着は着丈が長いので保温性に優れ、前開きなので着せやすい一方、着丈が長いので様々なウェアの下に着用することが難しく、着用者が足をよく動かすようになると着せにくく、裾部がめくれてしまう。
コンビ肌着は前身頃及び後身頃の裾中央部に設けられた係止部を係止すればズボンのように裾が二股に分かれ、係止しなければ長肌着としても使用でき、様々なウェアの下に組み合わせやすい一方、係止部を係止しない状態で使用すると裾がもたつくため着用者にとって着心地が悪いものになる。
ロンパース（ボディスーツ）は着用者が足を動かしてもはだけにくく、様々なウェアの下に着用しても腰回りに布地がたまらない一方、オムツを替える際には前身頃及び後身頃の裾中央部に設けられた係止部を毎回外す必要があるため、オムツ替えの機会が多い新生児には不向きである。
上記４つの乳幼児用衣服はそれぞれに長所と短所があるため、これらの肌着の内いくつか又は全てを買い揃えて状況に応じて着せ替える必要があるという問題点を有する。
さらに、着用者の急激な成長によってすぐにサイズが合わなくなり、せっかく数種類の肌着を買い揃えても短期間しか着用できないという問題点がある。
よって、１着で上記４つの衣服の機能を合わせ持つため複数の種類の衣服を買い揃える必要がなく、且つ着用者が成長しても長期間着用可能な肌着が求められている。
【０００５】
例えば、乳幼児用衣服の例として以下の特許文献１−４が挙げられる。
特許文献１には、前身頃が中央部から左右に分離されて前開きできるようにした上着の後身頃の下部に、その上着の後身頃と連続して同一布地によりパンツの後股上部を形成し、上記後股上部の下縁部にパンツの縦方向に伸縮可能な布地によって形成した股部を接続し、さらに上記股部の先端に、横方向に伸縮可能な布地によって形成したお腹を覆う前股上部を接続するとともに、上記前股上部の先端部の左右に後身頃の内面左右に設けられた留め具と係合する留め具を設けたことを特徴とする乳幼児用パンツスーツが記載されている。
特許文献１記載の乳幼児用パンツスーツは、上着が前開きになっているため着用者の首が座っていなくても着せ替えが容易であり、左右の前身頃が横長の面ファスナーによって係合されているため、着用者の上半身の成長に合わせてサイズを調節できる。さらに、前股上部の留め具を後身頃の内面の上下方向に複数設けられている留め具に選択的に係合させることで着用者の下半身の成長に合わせてサイズを調節できる。
しかし、後身頃の内面に設けられている留め具は上下方向に複数配置されているため、着用者の身長の変化には対応できるものの、着用者の胴囲や腰囲等の下半身の横方向への成長には対応できないという問題点を有する。さらに、特許文献１記載の乳幼児用パンツスーツは裾が二股に分かれるように設計されているため、スカートのように裾が１つの筒状に形成されている上記の短肌着や長肌着として使用することができないため、短肌着や長肌着は別に買い揃える必要があるという問題点を有する。
【０００６】
特許文献２には、背面部と、背面部の一側縁から延びる内側前面部と、背面部の他側縁から延びる外側前面部と、背面部と内側前面部との間、背面部と外側前面部の間に、各々設けられた一対のそで部とを備え、背面部と外側前面部は互いに下方部が縫い合わされて、切りかかれた股部を形成するとともに股部の両側に筒状の一対の脚部を形成し、外側前面部は内側前面部の外方に位置して、その自由端縁が内側前面部上にボタン装着により固定されていることを特徴とする乳児用衣服が記載されている。
特許文献２記載の乳児用衣服は、前開きになっているため着用者の首が座っていなくても着せ替えが容易である。
しかし、ボタン等の係止具の係止位置を変えることができる設計になっていないことから、着用者の成長に合わせてサイズを調節できないという問題点を有する。さらに、特許文献２記載の乳児用衣服は裾が二股に分かれるように設計されているため、スカートのように裾が１つの筒状に形成されている上記の短肌着や長肌着として使用することができないため、短肌着や長肌着は別に買い揃える必要があるという問題点を有する。
【０００７】
特許文献３には、上半身を包むシャツ部分と、該シャツ部分の背側下端に一体的に設けられたおしめ押さえ部分とからなるベビー用ボディースーツにおいて、前記シャツ部分の下端部とおしめ押さえ部分の側端部とで、脚の付け根寸法と略同一寸法となる縁回り寸法の脚ぐり部を形成し、このおしめ押さえ部分の先端付近に留め具を取り付け、この留め具と係合できる受け止め具を前記シャツ部分の前身頃の下部付近に複数組み設け、この留め具と受け止め具の対応係止関係を変化させることにより脚ぐり部の縁周り寸法の調節が自在となるようにしたことを特徴とするベビー用ボディースーツが記載されている。
特許文献３に係るベビー用ボディースーツは、着用者の太腿の成長に対応してサイズを調節できるものの、着用者の胴囲や腰囲の成長には対応できないという問題点を有する。上着部分は前開き構造になっていないため着用者の首が座っていないと着せ替えが難しく、着用者の上半身の成長に合わせてサイズ調節することができないという問題点を有する。さらに、特許文献３記載のベビー用ボディースーツは裾が二股に分かれるように設計されているため、スカートのように裾が１つの筒状に形成されている上記の短肌着や長肌着として使用することができないため、短肌着や長肌着は別に買い揃える必要があるという問題点を有する。
【０００８】
特許文献４には、トップ衣類、ボトム衣類あるいはトップとボトムとが一体化したつなぎ衣類の少なくとも前身頃全体と後身頃全体とを夫々伸縮性糸条を用いて編物機により連続編成した伸びを有する編地から構成し、上記前身頃の腹部にあたる部分の編組織を変えて膨らませ、立体的に腹部を包むようにするとともに他の部位よりも伸びを持たせ、且つ上記伸縮性糸条としてポリウレタン系弾性糸条を綿で被覆している多層構造の糸条を用い、該多層構造の糸条と綿糸を用いていずれか一方を表用糸条、いずれか他方を裏用糸条としていることを特徴とする幼児用衣類が記載されている。
特許文献４記載の幼児用衣類は、前開きになっているため着用者の首が座っていなくても着せ替えが容易である。
しかし、伸縮自在な布地で構成されているため着用者の成長にある程度合わせることができるものの、ボタン等の係止具の係止位置を変えることができる設計になっていないことから、着用者の成長に合わせて大幅にサイズを調節できないという問題点を有する。さらに、特許文献４記載の幼児用衣類は裾が二股に分かれるように設計されているため、スカートのように裾が１つの筒状に形成されている上記の短肌着や長肌着として使用することができないため、短肌着や長肌着は別に買い揃える必要があるという問題点を有する。
【先行技術文献】
【特許文献】
【０００９】
【特許文献１】特許第３８０２８５１号公報
【特許文献２】特開２００６−２０７０３８号公報
【特許文献３】実登３０６８５８７号公報
【特許文献４】特許第３６０６６９２号公報
【発明の概要】
【発明が解決しようとする課題】
【００１０】
本発明は、上記した従来技術の問題点を解決すべくなされたものであって、内側前身頃及び外側前身頃を固定する紐や面ファスナー等の係止部（第一係止部及び第二係止部）及び裾中央部にスナップ、ボタンや紐等の係止部（第三係止部）を備え、前開きであるため着せ替えが容易で、１着で様々な衣服の機能を合わせ持ち、第一乃至第三係止部の係合位置を変えることで胸囲、胴囲、腰囲、太腿周りの長さを調節可能な前開きロンパースに関する。
より詳しくは前身頃が内側前身頃と外側前身頃からなる前開きの構造であるため着せ替えが容易であり、第三係止部を係合しないことで裾部がスカート状の短肌着や長肌着として、第三係止部を係止することで裾部がズボン状のコンビ肌着やロンパースとしても利用でき、１着で様々な種類の乳幼児衣類として使用でき、第一乃至第三係止部の係合位置を変えることで着用者のサイズに合わせて胸囲、胴囲、腰囲、太腿周りの長さを容易に調節することができるため、着用者の成長に合わせて長期間着用することができる前開きロンパースを提供するものである。
【００１１】
なお、本明細書において、前開きロンパースに関して使用される「内面」は、前開きロンパースの肌に触れる側の面を意味し、「外面」は、前開きロンパースの肌に触れない側を意味する。
本明細書において、「体中央側」とは着用者の体中央方向の領域を意味する。
本明細書において、「脇側」とは着用者の脇方向の領域を意味する。
本明細書において、「裾部」とは足側の縁の外周に沿って、ある特定の幅を持った帯状の領域を意味する。
本明細書において、「裾中央部」とは裾部の中央付近の領域を意味する。
本明細書において、「側縁部」とは縁に沿って、ある特定の幅を持った帯状の領域を意味する。
【課題を解決するための手段】
【００１２】
請求項１に係る発明は、前身頃及び後身頃からなる前開きロンパースであって、該前身頃は、内側前身頃と外側前身頃からなり、該内側前身頃の体中央側側縁部と該外側前身頃の脇側側縁部の内面に設けられた第一係止部により、該内側前身頃は固定され、該内側前身頃の脇側側縁部の外面と該外側前身頃の体中央側側縁部に設けられた第二係止部により、該外側前身頃は固定され、該後身頃は該前身頃よりも裾方向に長く形成され、該後身頃の裾中央部が突出しており、該外側前身頃と該後身頃は、外側前身頃の裾部と後身頃の裾中央部に設けられた第三係止部により係合自在であり、外側前身頃の裾部の第三係止部は横方向に複数設けられ、着用者の胸囲、胴囲、腰囲及び太腿周りの長さに応じた第一乃至第三係止部における係合位置に係合できることを特徴とする、前開きロンパースに関する。
【００１３】
請求項２に係る発明は、前記第一係止部が紐であることを特徴とする、請求項１記載の前開きロンパースに関する。
【００１４】
請求項３に係る発明は、前記第二係止部が面ファスナーであることを特徴とする、請求項１又は２記載の前開きロンパースに関する。
【００１５】
請求項４に係る発明は、前記第三係止部が外側前身頃の裾部に設けられた留め具と、後身頃の裾中央部に設けられた受け止め具からなるスナップであることを特徴とする、請求項１乃至３のいずれかに記載の前開きロンパースに関する。
【発明の効果】
【００１６】
請求項１に係る発明によれば、前身頃及び後身頃からなる前開きロンパースであって、該前身頃が内側前身頃と外側前身頃からなり、該内側前身頃の体中央側側縁部の外面と該外側前身頃の脇側側縁部の内面に設けられた第一係止部により、該内側前身頃が固定され、該内側前身頃の脇側側縁部の外面と該外側前身頃の体中央側側縁部の内面に設けられた第二係止部により、該外側前身頃が固定されていることで、前身頃は前開きの構造となるため、首が座っていない着用者であっても着せ替えが容易であるという効果を奏する。
該後身頃は該前身頃よりも裾方向に長く形成され、該後身頃の裾中央部が突出しており、該外側前身頃と該後身頃は、外側前身頃の裾部と後身頃の裾中央部に設けられた第三係止部により係合自在であることにより、第三係止部を係止することでズボンのように裾が二股に分かれ、係止しなければスカートのように裾が１つの筒状に形成され、つまり１着で様々な衣服として使用できる。例えば、オムツ替えが多い時期は第三係止部を留めずに使用でき、足をよく動かすようになったら係止部を留めて使用できるため、着用者の成長や状況に合わせて長期間使用できる。
着用者の胸囲、胴囲、腰囲及び太腿周りの長さに応じた第一乃至第三係止部における係合位置に係合できる、つまり第一乃至第三係止部における係合位置を変えることができるため、着用者の太腿等の足の太さ、胸囲、胴囲及び腰囲に合わせて、本発明の前開きロンパースの胸囲、胴囲、腰囲、太腿周りの長さを調節することができるため、着用者が成長しても長期間着用することができる。
【００１７】
請求項２に係る発明によれば、前記第一係止部が紐であることで、紐を結ぶ位置を変えることで着用者のサイズに合わせて第一係止部の係合位置を容易に微調整することができ、且つ着用者の肌にあたっても不快感を最小限に抑えることができる。
【００１８】
請求項３に係る発明によれば、前記第二係止部が面ファスナーであることで第二係止部の係合位置を着用者のサイズに合わせて簡単に手早く微調整することができる。
【００１９】
請求項４に係る発明によれば、前記第三係止部が外側前身頃の裾部に設けられた留め具と、後身頃の裾中央部に設けられた受け止め具からなるスナップであって、該留め具が水平方向に複数設けられていることで、着用者のサイズに合わせて受け止め具を係止する留め具を変えることによって係合位置を変えることができる。
【図面の簡単な説明】
【００２０】
【図１】本発明に係る前開きロンパースにおいて、第三係止部を係止していない場合の正面図である。破線部分は、外面から見た時は見えない又は見るのが困難な、内面を表わしている。
【図２】本発明に係る前開きロンパースにおいて、第三係止部を係止した場合の正面図である。破線部分は、外面から見た時は見えない又は見るのが困難な、内面を表わしている。
【図３】本発明に係る前開きロンパースにおいて、第一乃至第三係止部の係合位置を胸囲、胴囲、腰囲及び太腿周りの長さが比較的短い着用者に合わせた場合の正面図（Ａ）及び第三係止部の拡大図（Ｂ）である。破線部分は、外面から見た時は見えない又は見るのが困難な、内面を表わしている。
【図４】本発明に係る前開きロンパースにおいて、第一乃至第三係止部の係合位置を胸囲、胴囲、腰囲及び太腿周りの長さが中程度の着用者に合わせた場合の正面図（Ａ）及び第三係止部の拡大図（Ｂ）である。破線部分は、外面から見た時は見えない又は見るのが困難な、内面を表わしている。
【図５】本発明に係る前開きロンパースにおいて、第一乃至第三係止部の係合位置を胸囲、胴囲、腰囲及び太腿周りの長さが比較的長い着用者に合わせた場合の正面図（Ａ）及び第三係止部の拡大図（Ｂ）である。破線部分は、外面から見た時は見えない又は見るのが困難な、内面を表わしている。
【発明を実施するための形態】
【００２１】
以下、本発明に係る前開きロンパースの好適な実施形態について、具体的な実施の形態に基づいて図面を参照しながら説明する。
【００２２】
本発明の目的は、内側前身頃及び外側前身頃を固定する紐や面ファスナー等の係止部（第一係止部及び第二係止部）及び裾中央部にスナップ、ボタンや紐等の係止部（第三係止部）を設け、第一乃至第三係止部の係合位置を変えることで胸囲、胴囲、腰囲、太腿周りの長さを調節可能であり、第三係止部を係止することでズボンのように裾部が二股に分かれ、係止しないことでスカートのように裾部が１つの筒状に形成される前開きロンパースを提供することにある。
【００２３】
＜前開きロンパース＞
図１は本発明に係る前開きロンパースにおいて、第三係止部を係止していない場合の正面図であり、図２は本発明に係る前開きロンパースにおいて、第三係止部を係止した場合の正面図である。破線部分は、外面から見た時は見えない又は見るのが困難な、内面を表わしている。
【００２４】
図１及び図２に示す如く、本発明に係る前開きロンパース（１）は前身頃（２）及び後身頃（３）からなる。
前身頃（２）及び後身頃（３）の着丈は特に限定されず、図１及び２が示すような着用者の太腿の付け根辺りまでのものから着用者の足首辺りまでのものまで、様々な着丈が含まれる。
前身頃（２）及び後身頃（３）は一体であって１枚の布から構成される物であっても良く、別体の前身頃（２）及び後身頃（３）が連結されてなるものであっても良い。
【００２５】
前身頃（２）は内側前身頃（２１）及び外側前身頃（２２）からなり、内側前身頃の体中央側側縁部（２１１）の外面と外側前身頃の脇側側縁部（２２２）の内面に設けられた第一係止部（４）により、内側前身頃（２１）が固定され、内側前身頃の脇側側縁部（２１２）の外面と外側前身頃の体中央側側縁部（２２１）に設けられた第二係止部（５）により、外側前身頃（２２）が固定される。
内側前身頃の体中央側側縁部（２１１）に設けられた第一係止部（４）と、外側前身頃の体中央側側縁部（２２１）に設けられた第二係止部（５）は、布地に不自然なしわやたるみを生じさせないのであれば、内面に設けられても外面に設けられても良い。
このような構成を備えることで本願の前開きロンパースは前開きの構造となるため、首が座っていない着用者であっても着せ替えが容易であるという効果を奏する。
前開きロンパース（１）は図１及び２に示す如く袖があるものであっても、袖がないものであっても良い。袖の長さは特に限定されない。
【００２６】
第一係止部（４）は図１及び２において示すように１つであっても良く、複数設けても良い。第一係止部（４）は係止しやすさ、取れにくさ及び着用者の肌にあたっても違和感が少ないという観点から図１及び２に示す如く紐であることが好ましいが、例えば面ファスナー、スナップ、ボタン、ホック等を使用しても良い。ただし、第一係止部（４）の係合位置を変えることができるように、スナップ、ボタン、ホック等を使用する場合は複数設ける必要がある。面ファスナーであれば係合位置を変えることができるため、複数設けなくても良い。
【００２７】
第二係止部（５）は図１及び図２において示すように２つであっても良く、１つであっても３つ以上であっても良いが、着用者の胸囲、胴囲や腰囲等に合わせて長さを微調節するのであれば、２つ以上備えていることが好ましい。第二係止部（５）は係止しやすさ及び微調節のしやすさの観点から図１及び２に示す如く水平方向に長い横長の面ファスナーであることが好ましいが、例えば紐、スナップ、ボタン、ホック等を使用しても良い。ただし、第二係止部（５）の係合位置を変えることができるように、スナップ、ボタン、ホック等を使用する場合は複数設ける必要がある。
【００２８】
図１及び２に示す如く、後身頃（３）は前身頃（２）よりも裾部に向かって垂直方向に長く形成され、後身頃の裾中央部（３１）が突出している。後身頃の裾中央部（３１）は円弧上に突出していても逆三角形状に突出していても良く、その形状は限定されない。外側前身頃（２２）と後身頃（３）は、外側前身頃の裾部（２２３）と後身頃の裾中央部（３１）に設けられた第三係止部（６）を備えている。
図１及び２に示す第三係止部（６）は、外側前身頃の裾部（２２３）に設けられた留め具（６１）と、後身頃の裾中央部（３１）に設けられた受け止め具（６２）からなるスナップである。留め具（６１）と受け止め具（６２）の位置は逆であってもよく、すなわち留め具（６１）が後身頃の裾中央部（３１）に設けられ、受け止め具（６２）が外側前身頃の裾部（２２３）に設けられていても良い。
後身頃の裾中央部（３１）を外側前身頃の裾部（２２３）の内面に入れて留められるように、第三係止部（６）は外側前身頃の裾部（２２３）の内面及び後身頃の裾中央部（３１）の外面に配置されるのが好ましい。この構成により第三係止部（６）周辺に不自然なしわや布地のたるみができることなく、正面から見ても後ろから見ても美しい外観を保つことができ、着用者に第三係止部（６）があたることがないため、着心地がよいものになる。
【００２９】
図１及び２に示すように、外側前身頃の裾部（２２３）に設けられた第三係止部の留め具（６１）を水平方向、つまり横並びに複数設けることが好ましい。複数設けることで着用者の胸囲、胴囲、腰囲、太腿を含む足の太さに合わせて係合位置を変えることができるため、着用者が成長しても長期間着用することができるという効果を奏する。
一方、第三係止具の受け止め具（６２）は複数であっても良いが、手早く容易に係合できるように１つであることが好ましい。
図１及び２において、係止しやすさ及び着用者の肌にあたっても違和感が少ないとの観点から第三係止部（６）としてスナップを用いているが、例えば面ファスナー、紐、ボタン、ホック等であっても良く、特に限定されない。
【００３０】
本発明の前開きロンパース（１）は、乳幼児用の衣服として好適に使用されるが、オムツを着用しており介護者にオムツ替えをしてもらう必要がある要介護者（成人や子供等幅広い年齢層を含む）用の衣服や肌着としても使用できる。
【００３１】
＜前開きロンパースの胸囲、胴囲、腰囲及び太腿周りの長さの調節方法＞
次に、前開きロンパース（１）の胸囲、胴囲、腰囲及び太腿周りの長さを調節する方法について説明する。
図３は、本発明に係る前開きロンパース（１）において、第一乃至第三係止部（４、５、６）の係合位置を胸囲、胴囲、腰囲及び太腿周りの長さが比較的短い着用者に合わせた場合の正面図（Ａ）及び第三係止部の拡大図（Ｂ）であり、図４は本発明に係る前開きロンパース（１）において、第一乃至第三係止部（４、５、６）の係合位置を胸囲、胴囲、腰囲及び太腿周りの長さが中程度の着用者に合わせた場合の正面図（Ａ）及び第三係止部（６）の拡大図（Ｂ）であり、図５は本発明に係る前開きロンパース（１）において、第一乃至第三係止部（４、５、６）の係合位置を胸囲、胴囲、腰囲及び太腿周りの長さが比較的長い着用者に合わせた場合の正面図（Ａ）及び第三係止部の拡大図（Ｂ）である。破線部分は、外面から見た時は見えない又は見るのが困難な、内面を表わしている。
【００３２】
本発明に係る前開きロンパース（１）において、布地に不自然なしわやたるみが生じることなく着用者の胸囲、胴囲、腰囲、太腿周りに応じてサイズを調節するためには第一係止部（４）、第二係止部（５）及び第三係止部（６）の係合位置を連動的に変える必要がある。
例えば、図３は胸囲、胴囲、腰囲及び太腿周りの長さが比較的短い着用者に合わせた場合の前開きロンパースの正面図（Ａ）及び第三係止部の拡大図（Ｂ）である。図３（Ａ）に示す如く、第一係止部（４）の紐は比較的短い長さで結ばれ、第二係止部（５）の面ファスナーは、外側前身頃の体中央側側縁部（２２１）が内側前身頃の脇側側縁部（２１２）と最も接近するように係止されている。これにより、前開きロンパース（１）の胸囲、胴囲、腰囲の長さが短くなる。この時、図３（Ｂ）に示すように、外側前身頃の裾部（２２３）に複数設けられた第三係止部の留め具（６１）として、外側前身頃の脇側縁部（２２２）に最も近い留め具（６１ａ）に、第三係止部の受け止め具（６２）を係止する。これにより、布地に不自然なしわやたるみが生じることなく着用者の比較的小さいサイズに応じてサイズを調節することができる。
この際、第一係止部（４）をより長い長さで係止したり、第二係止部（５）をより体中央側で係止したりしてしまうと、内側前身頃（２）及び／又は外側前身頃（３）が緩んでしまうため、布地がたるんだり、肌が露出してしまったりと、着用者にとって着心地が悪いものとなる。
さらにこの時、第三係止部の留め具（６１）として外側前身頃の体中央側側縁部（２２１）により近い留め具（６１ｂ、６１ｃ）を使用してしまうと、第三係止部（６）の位置が体中央よりも第二係止部（５）が設けられた脇側に寄ってしまうため、太腿周りの長さが左右で異なってしまい、着用者にとって着心地が悪いものとなる。
【００３３】
図４は胸囲、胴囲、腰囲及び太腿周りの長さが中程度の着用者に合わせた場合の前開きロンパース（１）の正面図（Ａ）及び第三係止部の拡大図（Ｂ）である。図４（Ａ）に示す如く、第一係止部（４）の紐は中程度の長さで係止され、第二係止部（５）の面ファスナーは、面ファスナーの中央付近で係止されている。これにより、前開きロンパース（１）の胸囲、胴囲、腰囲の長さが中程度となる。この時、図４（Ｂ）に示すように、外側前身頃の裾部（２２３）に複数設けられた第三係止部の留め具（６１）として、留め具（６１ｂ）に、第三係止部の受け止め具（６２）を係止する。これにより、布地に不自然なしわやたるみが生じることなく着用者の中程度の胸囲、胴囲、腰囲、太腿周りに応じて前開きロンパース（１）のサイズを調節することができる。
この際、第一係止部（４）をより短い長さで係止すると着用者を締めつけてしまい、より長い長さで係止すると内側前身頃（２）の布地がたるむため着用者にとって着心地が悪い。第二係止部（５）をより体中央側で係止してしまうと、外側前身頃（３）の布地がたるみ、より脇側で係止してしまうと、着用者を締めつけてしまう。
さらにこの時、第三係止部の留め具（６１）として留め具（６１ａ）や（６１ｃ）を使用してしまうと、第三係止部（６）の位置が体中央部ではなく、着用者の左右いずれかの脇側に寄ってしまうため、太腿周りの長さが左右で異なってしまい、着用者にとって着心地の悪いものとなる。
【００３４】
図５は胸囲、胴囲、腰囲及び太腿周りの長さが比較的長い着用者に合わせた場合の前開きロンパースの正面図（Ａ）及び第三係止部の拡大図（Ｂ）である。図５（Ａ）に示す如く、第一係止部（４）の紐は比較的長い長さになるように結ばれ、第二係止部（５）の面ファスナーは、外側前身頃の体中央側側縁部（２２１）が内側前身頃の脇側側縁部（２１２）から最も遠い位置になるように係止されている。これにより、前開きロンパース（１）の胸囲、胴囲、腰囲の長さが長くなる。この時、図５（Ｂ）に示すように、外側前身頃の裾部（２２３）に横方向に複数設けられた第三係止部の留め具（６１）として、留め具（６１ｃ）に、第三係止部の受け止め具（６２）を係止する。これにより、布地に不自然なしわやたるみが生じることなく着用者の比較的長い胸囲、胴囲、腰囲、太腿周りの長さに応じて前開きロンパース（１）のサイズを調節することができる。
この際、第一係止部（４）をより短い長さで係止すると着用者を締めつけてしまい、着用者にとって着心地が悪い。第二係止部（５）をより脇側で係止してしまうと、着用者を締めつけてしまう。
さらにこの時、第三係止部の留め具（６１）として留め具（６１ａ、６１ｂ）を使用してしまうと、第三係止部（６）の位置が体中央部ではなく、外側前身頃の脇側側縁部（２２２）に寄ってしまうため、太腿周りの長さが左右で異なってしまい、且つ外側前身頃（３）の布地がたるんでしまうため、着用者にとって着心地の悪いものとなる。
【００３５】
このように、本発明に係る前開きロンパース（１）は、第一係止部（４）、第二係止部（５）及び第三係止部（６）を備え、着用者の胸囲、胴囲、腰囲及び太腿周りの長さに応じてそれぞれの係合位置を連動的に変えることで、布地に不自然なしわやたるみが生じることなく着用者の胸囲、胴囲、腰囲、太腿周りに応じてサイズを調節することができる。これにより、サイズを調節しても着心地が良い前開きロンパース（１）とすることができる。
【産業上の利用可能性】
【００３６】
本発明に係る前開きロンパース（１）は、内側前身頃（２）及び外側前身頃（３）を固定する紐や面ファスナー等の係止部（第一係止部（４）及び第二係止部（５））及び足を通す裾中央部にスナップ、ボタンや紐等の係止部（第三係止部（６））を備え、第三係止部（６）の係合の有無によってスカート型にもズボン型にもなり、第一乃至第三係止部の係合位置を変えることで着用者のサイズに合わせてサイズを調節可能な前開きロンパースとして好適に利用される。また、本発明に係る前開きロンパース（１）は乳幼児用の衣服として、及びオムツ替えが必要な要介護者（成人や子供等幅広い年齢層を含む）用の衣服や肌着としても使用できる。
【符号の説明】
【００３７】
１    前開きロンパース
２    前身頃
２１    内側前身頃
２１１    内側前身頃の体中央側側縁部
２１２    内側前身頃の脇側側縁部
２２    外側前身頃
２２１    外側前身頃の体中央側側縁部
２２２    外側前身頃の脇側側縁部
２２３    外側前身頃の裾部
３    後身頃
３１    後身頃の裾中央部
４    第一係止部
５    第二係止部
６    第三係止部
６１    第三係止部の留め具
６２    第三係止部の受け止め具
【要約】
【課題】  内側前身頃及び外側前身頃を固定する係止部及び裾中央部に係止部を備え、着用者のサイズに合わせて調節可能であり、ズボン形状にもスカート形状にもなる前開きロンパースを提供すること。
【解決手段】  前身頃及び後身頃からなる前開きロンパースであって、前身頃は、内側前身頃と外側前身頃からなり、内側前身頃の体中央側側縁部と外側前身頃の脇側側縁部の内面に設けられた第一係止部により内側前身頃は固定され、内側前身頃の脇側側縁部の外面と外側前身頃の体中央側側縁部に設けられた第二係止部により外側前身頃は固定され、後身頃は前身頃よりも裾方向に長く突出しており、外側前身頃と後身頃は、外側前身頃及び後身頃の裾部に設けられた第三係止部により係合自在であり、着用者のサイズに応じた第一乃至第三係止部における係合位置に係合できることを特徴とする、前開きロンパースとする。
【選択図】図１【図１】
0006012059.tif 000002
【図２】
0006012059.tif 000003
【図３】
0006012059.tif 000004
【図４】
0006012059.tif 000005
【図５】
0006012059.tif 000006